(57)【特許請求の範囲】
【請求項１】
箱本体の天部から立設する吊下用のフックと識別表示用タブとを備え、陳列棒に前記フックを係止して吊り下げた状態で、前記陳列棒の前後方向に複数重ねて陳列される吊下げ陳列箱であって、
前記識別表示用タブは、前記箱本体を構成するブランクに設けたタブ形成用フラップ片を折り曲げることで前記箱本体の天部に形成されており、
前記タブ形成用フラップ片は、折り曲げ線を挟んで連続する、正面側立設部と背面側立設部とベース部とを含んで前記ブランクに設けられており、
前記識別表示用タブは、前記箱本体の天部を形成する際に、前記正面側立設部と前記背面側立設部とを裏面同士を対向させて重ね合わせることで形成されると共に、前記ベース部は、重ね合わせた前記正面側立設部及び前記背面側立設部に対して折り曲げられて前記天部に沿って配設され、且つ配設された前記ベース部を外側から覆って前記天部の構成片による押付け片を配置することで前記ベース部を押え付けて、前記識別表示用タブが前記天部から立設した状態を保持する吊下げ陳列箱。
【請求項２】
前記ベース部は正面側ベース部と、背面側ベース部とからなり、前記正面側ベース部と前記背面側ベース部とは、重ね合わせた前記正面側立設部及び前記背面側立設部に対して折り曲げられて前記天部に沿って配設され、前記正面側ベース部と前記背面側ベース部の少なくとも何れか一方が、前記押付け片によって外側から覆われている請求項１記載の吊下げ陳列箱。
【請求項３】
前記天部は、前記ブランクの第１天面内側フラップ片と第２天面内側フラップ片と天面外側フラップ片とを折り重ねると共に、前記天面外側フラップ片の縁部に設けた差込みフラップ片をフラップ差込用切込みに差し込むことによって形成される請求項１又は２に記載の吊下げ陳列箱。
【請求項４】
前記天面外側フラップ片には外側フック差込接合穴が設けられていると共に、第２天面内側フラップ片には内側フック差込接合穴が設けられており、前記内側フック差込接合穴に前記外側フック差込接合穴を合致させてフック部材の差込基端部を差し込んで係止することで、フックを立設させた状態で前記フック部材が天部に接合される請求項３記載の吊下げ陳列箱。
【請求項５】
請求項１〜４の何れか一項に記載の吊下げ陳列箱を形成するためのブランクであって、
正面板又は背面板の上辺から一体として連設して、折り曲げ線を挟んで連続する前記正面側立設部と前記背面側立設部と前記ベース部とを含む前記タブ形成用フラップ片が設けられており、
且つ前記正面板又は前記背面板の上辺から折り曲げ線を介して一体として連設して前記天部を構成するフラップ片に、前記ベース部を外側から覆って押え付ける前記押付け片が設けられている吊下げ陳列箱形成用ブランク。
【発明の詳細な説明】
【技術分野】
【０００１】
本発明は、吊下げ陳列箱に関し、特に、吊り下げた状態で前後方向に複数重ねて陳列される吊下げ陳列箱に関する。
【背景技術】
【０００２】
例えば、小物の下着類やその他の各種の商品を店頭に陳列する陳列形態として、商品が収容された扁平な形状の陳列箱を、これの天面部に取り付けた吊り下げ用のフックを介して、陳列棚の奥から手前側に突き出して設けられた陳列棒に吊り下げて陳列するものが知られている。このような陳列形態によれば、商品に関する情報や、広告・宣伝用の装飾等が施された正面部を前方に配置すると共に、陳列棒の前後方向に重ねて吊り下げることによって、多数の陳列箱を、取り出しが容易で且つ安定した状態で、効率良く陳列することが可能になる。
【０００３】
一方、上述のような陳列形態では、例えば同じ商品であってもサイズや色等について異なる属性があることから、このような商品の異なる属性について消費者が明確に認識できるように、陳列箱の正面部に施された商品に関する情報等とは別に、例えば陳列箱の天面部から立設する識別表示用のタブを設けて、消費者が商品を購入する際の利便性を向上させるようにする技術も開発されている（例えば、特許文献１参照）。
【０００４】
特許文献１のタブ付き包装体では、例えば商品サイズを示すタブが、異なる商品サイズ毎に包装体の異なる位置に取り付けられており、陳列棒の前後方向に重ねて包装体が吊り下げられた際に、タブが取り付けられた位置の相違によって、所望のサイズの商品の包装体を、容易に取り出して購入することが可能である。またこれによって、サイズの異なる商品の包装体を、サイズ毎に別の陳列棒から吊り下げることなく、サイズの異なる商品の包装体を混在させた状態で同じ陳列棒から吊り下げても、消費者がサイズの相違を容易に識別できるので、陳列棚の陳列棒による陳列スペースを有効に活用することが可能になる。
【先行技術文献】
【特許文献】
【０００５】
【特許文献１】特開２００４−１７９９８号公報
【発明の概要】
【発明が解決しようとする課題】
【０００６】
しかしながら、特許文献１の吊下げ陳列用の包装体（吊下げ陳列箱）では、識別表示用のタブは、例えば箱本体の天面部の縁部に沿って立設していて、傾倒しやすい状態で取り付けられているので、特に陳列される前の商品の入荷時や、商品を陳列する作業を行なう際に、タブが傾倒することで、これらの作業を行い難くなる場合がある。例えば、多数の商品をまとめて入荷するために、多数の吊下げ陳列箱を互いに密着させて縦横に並べてダンボール箱等に梱包した際に、天面部の縁部に取り付けたタブが傾倒して、隣接する一対の吊下げ陳列箱の間に挟み込まれた状態となってしまうと、識別表示用のタブの表示内容を識別することができなくなって、吊下げ陳列箱の陳列作業等を迅速に行うことが困難になる。
【０００７】
本発明は、天面部に設けられる識別表示用タブを安定した状態で立設させて、識別表示用タブによる識別機能を容易に保持することのできる吊下げ陳列箱を提供することを目的とする。
【課題を解決するための手段】
【０００８】
本発明は、箱本体の天部から立設する吊下用のフックと識別表示用タブとを備え、陳列棒に前記フックを係止して吊り下げた状態で、前記陳列棒の前後方向に複数重ねて陳列される吊下げ陳列箱であって、前記識別表示用タブは、前記箱本体を構成するブランクに設けたタブ形成用フラップ片を折り曲げることで前記箱本体の天部に形成されており、前記タブ形成用フラップ片は、折り曲げ線を挟んで連続する、正面側立設部と背面側立設部とベース部とを含んで前記ブランクに設けられており、前記識別表示用タブは、前記箱本体の天部を形成する際に、前記正面側立設部と前記背面側立設部とを裏面同士を対向させて重ね合わせることで形成されると共に、前記ベース部は、重ね合わせた前記正面側立設部及び前記背面側立設部に対して折り曲げられて前記天部に沿って配設され、且つ配設された前記ベース部を外側から覆って前記天部の構成片による押付け片を配置することで前記ベース部を押え付けて、前記識別表示用タブが前記天部から立設した状態を保持する吊下げ陳列箱を提供することにより、上記目的を達成したものである。
【発明の効果】
【０００９】
本発明の吊下げ陳列箱によれば、天面部に設けられる識別表示用タブを安定した状態で立設させて、識別表示用タブによる識別機能を容易に保持することができる。
【図面の簡単な説明】
【００１０】
【図１】（ａ），（ｂ）は、本発明の好ましい一実施形態に係る吊下げ陳列箱の構成を説明する斜視図である。
【図２】本発明の好ましい一実施形態に係る吊下げ陳列箱を吊り下げて陳列した状態を説明する斜視図である。
【図３】本発明の好ましい一実施形態に係る吊下げ陳列箱を形成するためのブランクの平面図である。
【図４】ブランクに設けたタブ形成用フラップ片を折り曲げて識別表示用タブを形成した状態を説明する、吊下げ陳列箱を背面側から見た要部斜視図である。
【図５】破断線を破断させて取出し開口を形成する状態を説明する、吊下げ陳列箱を背面側から見た斜視図である。
【図６】フック部材を箱本体に取り付ける状況を説明する、吊下げ陳列箱を背面側から見た要部斜視図である。
【図７】フック部材を箱本体に取り付けた状態を説明する要部断面図である。
【図８】タブ形成用フラップ片による識別表示用タブの他の形態を例示する、吊下げ陳列箱を背面側から見た要部斜視図である。
【図９】タブ形成用フラップ片による識別表示用タブの他の形態を例示する略示斜視図である。
【発明を実施するための形態】
【００１１】
以下、図面を参照しつつ、本発明を具体的に説明する。図１（ａ），（ｂ）に示す本発明の好ましい一実施形態に係る吊下げ陳列箱１０は、商品として例えば男性用の下着類を箱本体１１に収容し、図２に示すように、例えば陳列棚の奥から手前側に突き出して設けられた陳列棒１４から吊り下げた状態で、店頭に陳列して用いるものである。また、本実施形態では、吊下げ陳列箱１０の箱本体１１の正面部１１ａには、商品に関する情報や、広告・宣伝用の装飾等が施されていると共に、これらの情報や装飾等とは別途に、商品が例えばＭサイズのものであるかＬサイズのものであるかの属性を表示するための、識別表示用タブ１２が設けられていて、消費者が購入する際に商品サイズを容易に識別できるようになっている。
【００１２】
さらに、本実施形態では、吊下げ陳列箱１０が陳列棒１４から吊り下げられた状態においては、Ｍサイズの商品を収容した吊下げ陳列箱１０では、識別表示用タブ１２が吊下用のフック１３の左側に配置される一方で、Ｌサイズの商品を収容した吊下げ陳列箱１０では、識別表示用タブ１２が吊下用のフック１３の右側に配置されるようになっている。これらによって、吊下げ陳列箱１０が陳列棒１４の前後方向に多数重ねて吊り下げられた場合でも、これらの識別表示用タブ１２を介して商品サイズを容易に識別できるようになっている。さらにまた、本実施形態では、識別表示用タブ１２を、陳列箱１０の箱本体１１の天部１１ｂから安定した状態で立設させる機能を備えている。
【００１３】
そして、本実施形態の吊下げ陳列箱１０は、箱本体１１の天部１１ｂから立設する吊下用のフック１３と識別表示用タブ１２とを備え、陳列棒１４にフック１３を係止して吊り下げた状態で、陳列棒１４の前後方向に複数重ねて陳列される陳列箱であって、図３及び図４にも示すように、識別表示用タブ１２は、箱本体を構成するブランク１５に設けたタブ形成用フラップ片１６を折り曲げることで箱本体１１の天部１１ｂに形成されており、タブ形成用フラップ片１６は、折り曲げ線１７ａ，１７ｂ，１７ｃを挟んで連続する、正面側立設部１８ａと背面側立設部１８ｂとベース部１９ａ，１９ｂとを含んでブランク１５に設けられている。また識別表示用タブ１２は、箱本体１１の天部１１ｂを形成する際に、正面側立設部１８ａと背面側立設部１８ｂとを裏面同士を対向させて重ね合わせることで形成されると共に、ベース部１９ａ，１９ｂは、重ね合わせた正面側立設部１８ａ及び背面側立設部１８ｂに対して折り曲げられて、天部１１ｂに沿って配設され、且つ配設された少なくとも一方のベース部１９ｂを外側から覆って天部１１ｂの構成片（天面外側フラップ片２３）による押付け片２０を配置することでベース部１９ｂを押え付けて、識別表示用タブ１２が天部１１ｂから立設した状態を保持するようになっている。
【００１４】
さらに、本実施形態では、ベース部１９ａ，１９ｂは、正面側立設部１８ａのベース部側基端部と折り曲げ線１７ａを挟んで連続する正面側ベース部１９ａと、背面側立設部１８ｂのベース部側基端部と折り曲げ線１７ｃを挟んで連続する背面側ベース部１９ｂとからなり、正面側ベース部１９ａと背面側ベース部１９ｂとは、重ね合わせた正面側立設部１８ａ及び背面側立設部１７ｂに対して折り曲げられて天部１１ｂに沿って配設され、正面側ベース部１９ａと背面側ベース部１９ｂの少なくとも何れか一方として、背面側ベース部１９ｂが、天面外側フラップ片２３による押付け片２０によって外側から覆われることで、識別表示用タブ１２が立設した状態を保持するようになっている（図４参照）。
【００１５】
本実施形態では、吊下げ陳列箱１０の箱本体１１は、所定の形状に裁断された一枚の薄板状のシート材料である図３に示すような板紙製のブランク１５を、立体形状に組み付けることにより、図１（ａ），（ｂ）に示すような、天部１１ｂと底部１１ｃとを備え、正面部１１ａと背面部１１ｄと両側の一対の側部１１ｅとによって構成される胴部が、側部１１ｅにより両端部が面取りされた略菱形の横断面形状を有する、扁平な中空の包装箱として形成される。
【００１６】
すなわち、本実施形態では、ブランク１５は、折り曲げ線２１ａを介して横方向に連設する、正面板２２ａ、一対の側面板２２ｂ、背面板２２ｃ、接合側面板２２ｄ等を含んで構成される。正面板２２ａには、これの上辺部から折り曲げ線２１ｂを介して上方に連設して、天面外側フラップ片２３とタブ形成用フラップ片１６とが、切込み線３０ａを挟んで分離可能に設けられている。また正面板２２ａには、これの下辺部から折り曲げ線２１ｃを介して下方に連設して、底面外側フラップ片２４と第１底面内側フラップ片２５とが、切込み線３０ｂを挟んで分離可能に設けられている。背面板２２ｃには、これの上辺部から折り曲げ線２１ｄを介して上方に連設して、第１天面内側フラップ片２６と第２天面内側フラップ片２７とが、切込み線３０ｃを挟んで分離可能に設けられている。また背面板２２ｃには、これの下辺部から折り曲げ線２１ｅを介して下方に連設して、第２底面内側フラップ片２８と差込みフラップ片２９とが、離間した状態で設けられている。
【００１７】
背面板２２ｃの上辺部の、第１天面内側フラップ片２６と第２天面内側フラップ片２７との間の折り曲げ線２１ｄには、これらのフラップ片２６，２７の中央部分に、フラップ差込用切込み３１ａ，３１ｂが各々形成されている。これらのフラップ差込用切込み３１ａ，３１ｂには、箱本体１１を立体形状に組み付ける際に、正面板２２ａの上辺部に連設する天面外側フラップ片２３の外周縁部に設けた一対の差込みフラップ片３２が、各々差込まれて係止される。
【００１８】
背面板２２ｃの下辺部の、第２底面内側フラップ片２８との間の折り曲げ線２１ｅには、フラップ片２８の中央部分にフラップ差込用切込み３１ｃが形成されている。このフラップ差込用切込み３１ｃには、箱本体１１を立体形状に組み付ける際に、正面板２２ａの下辺部に連設する底面外側フラップ片２４の外周縁部に設けた差込みフラップ片３３が差込まれて係止される。
【００１９】
正面板２２ａの下辺部に連設する底面外側フラップ片２４の外周縁部には、折り曲げ線２１ｆを介して幅広差込みフラップ片３４が連設している。この幅広差込みフラップ片３４の基端部分の折り曲げ線２１ｆには、これの中央部分にフラップ差込用切込み３１ｄが形成されている。このフラップ差込用切込み３１ｄには、箱本体１１を立体形状に組み付ける際に、背面板２２ｃの下辺部から折り曲げ線２１ｅを介して連設する差込みフラップ片２９が、差込まれて係止される。また差込みフラップ片２９の基端部両側から背面板２２ｃに食い込むようにして、サイド切込み３５が設けられており、これによって差込みフラップ片２９を幅広差込みフラップ片３４のフラップ差込用切込み３１ｄに着脱する操作を、行い易くなっている。
【００２０】
本実施形態では、正面板２２ａ及び背面板２２ｃの中央部分を縦方向に縦断して、好ましくは折れ癖線３６が各々設けられている。これらの折れ癖線３６を介して正面板２２ａ及び背面板２２ｃの中央部分を鈍角で折り曲げることにより、箱本体１１を立体形状に組み付ける際に、略菱形の横断面形状を備える胴部を容易に形成することが可能になる。
【００２１】
また、背面板２２ｃには、ブランク１５の側縁部から側面板２２ｂとの間の折り曲げ線２１ｂに向けて略半長円形状に延設して、取出し開口の形成用のミシン目による破断線３７が、背面板２２ｃを横断して設けられている。箱本体１１が組み立てられた後に、破断開始部分に設けられた摘み部４０を摘んで、破断線３７を破断させることで、図５に示すように、取出し開口４１を容易に形成して、収容物である商品をスムーズに取り出すことが可能になる。
【００２２】
さらに、図３に示すように、正面板２２ａの上方に連設する天面外側フラップ片２３には、略菱形の天部１１ｂの中央部に配置される位置に、外側フック差込接合穴３８が設けられている。背面板２２ｃの上方に連設する第２天面内側フラップ片２７には、略菱形の天部１１ｂの中央部に配置される位置に、内側フック差込接合穴３９が設けられている。箱本体１１を立体形状に組み付ける際に、第２天面内側フラップ片２７の内側フック差込接合穴３９に天面外側フラップ片２３の外側フック差込接合穴３８を合致させて、図６に示すように、フック部材４２の差込基端部４２ａを差し込んで係止することで、フック部材４２が、フック１３を立設させた状態で天部１１ｂに接合される。
【００２３】
本実施形態では、図３に示すブランク１５を用いて天部１１ｂが形成されており、フック部材４２の差込基端部４２ａが係止される部分の内側フック差込接合穴３９や外側フック差込接合穴３８の周縁部は、図７に示すように、各フラップ片１６，２３，２６，２７を折り重ねて天部１１ｂが形成されることで、第２天面内側フラップ片２７と天面外側フラップ片２３との間に、第１天面内側フラップ片２６の一部やタブ形成用フラップ片１６の正面側ベース部１９ａの一部が挟み込まれた状態となった、三重構造を備えることになる。このような三重構造の周縁部にフック部材４２の差込基端部４２ａが係止されることで、各フラップ片１６，２３，２６，２７による天部１１ｂを強固に形成することが可能になると共に、天面外側フラップ片２３の押付け片２０によってタブ形成用フラップ片１６の背面側ベース部１９ｂを上方から押え付ける機能を、さらに効果的に発揮させることが可能になる。
【００２４】
そして、本実施形態では、図３に示すように、ブランク１５には、正面板２２ａの上辺から折り曲げ線２１ｂを介して一体として連設して、タブ形成用フラップ片１６が設けられている。このタブ形成用フラップ片１６を用いて、識別表示用タブ１２が、箱本体１１の天板１１ｂの中央部分に設けられた吊下げ用のフック１３と同一又は略同一の直線上に立設して形成されることになる。
【００２５】
すなわち、本実施形態では、タブ形成用フラップ片１６は、正面板２２ａの上辺と折り曲げ線２１ｂを挟んで連続する正面側ベース部１９ａと、正面側ベース部１９ａと折り曲げ線１７ａを挟んで連続する直角台形状の正面側立設部１８ａと、正面側立設部１８ａと折り曲げ線１７ｂを挟んで連続する、正面側立設部１８ａと対称な直角台形状の背面側立設部１８ｂと、背面側立設部１８ｂと折り曲げ線１７ｃを挟んで連続する、直角台形状の背面側立設部１８ｂの底辺の片側略１／３の領域から張り出して設けられた、略矩形形状の背面側ベース部１９ｂとが連設した形状を有している。
【００２６】
一方、タブ形成用フラップ片１６と切込み線３０ａを挟んで隣接する天面外側フラップ片２３は、これの先端領域の一方の差込みフラップ片３２と隣接する部分が、タブ形成用フラップ片１６の背面側ベース部１９を上方から押え付ける押付け片２０として機能するようになっている。
【００２７】
本実施形態によれば、例えば箱本体１１を組み立てる際に、図４に示すように、タブ形成用フラップ片１６の正面側立設部１８ａ及び背面側立設部１８ｂを、裏面同士を密着させるようにして重ね合わせると共に、正面側ベース部１９ａと背面側ベース部１９ｂとを、重ね合わせた立設部１８ａ，１８ｂに対して直角方向に折り曲げて、タブ形成用フラップ片１６を、ベース部１９ａ，１９ｂの中間部分から立設部１８ａ，１８ｂ（識別表示用タブ１２）が立設するＴ字断面形状を備える形状に形成する。また、Ｔ字断面形状に形成したタブ形成用フラップ片１６を折り曲げ線２１ｂを介して折り曲げて、正面側ベース部１９ａと背面側ベース部１９ｂとを箱本体１１の天部１１ｂに沿って配置する。しかる後に、天面外側フラップ片２３を折り曲げ線２１ｂを介して折り曲げて、箱本体１１の天部１１ｂに沿って配置すると共に、外周縁部の一対の差込みフラップ片３２を、背面板２２ｃの上辺部の折り曲げ線２１ｄに形成したフラップ差込用切込み３１ａ，３１ｂに各々差し込んで係止する。これによって、背面側ベース部１９が天面外側フラップ片２３の押付け片２０によって上方から押さえ付けられることで、天部１１ｂから垂直又は略垂直に立設する、正面側立設部１８ａ及び背面側立設部１８ｂからなる識別表示用タブ１２が形成されることになる。
【００２８】
なお、図３及び図４では、識別表示用タブ１２が吊下用のフック１３の左側に配置されるＭサイズの商品を収容する吊下げ陳列箱１０について記載しているが、識別表示用タブ１２が吊下用のフック１３の右側に配置されるＬサイズの商品を収容する吊下げ陳列箱１０については、図３に示すブランク１５と対称な形状のブランクを用いることによって、Ｍサイズの商品の吊下げ陳列箱１０と同じように形成することができる。
【００２９】
本実施形態では、ブランク１５から箱本体１１を組み立てるには、例えば接着剤を介して接合側面板２２ｄを背面板２２ｃの側縁部分の裏面側に接合すると共に、折り曲げ線２１ａや折れ癖線３６を各々折り曲げることで、正面部１１ａと背面部１１ｄと両側の一対の側部１１ｅとからなる、略菱形の横断面形状を有する胴部が形成される。また、第１底面内側フラップ片２５を折り曲げ線２１ｃを介して底部１１ｃに沿うように折り曲げると共に、第２底面内側フラップ片２８を折り曲げ線２１ｅを介して底部１１ｃに沿うように折り曲げ、さらに底面外側フラップ片２４を折り曲げ線２１ｃを介して底部１１ｃに沿うように折り曲げる。そして、底面外側フラップ片２４の幅広差込みフラップ片３４を、背面板２２ｃの下辺部の差込みフラップ片２９が設けられた部分の内側に差し込むと共に、差込みフラップ片３３を背面板２２ｃの下辺部のフラップ差込用切込み３１ｃに差し込み、さらに、差込みフラップ片２９を、底面外側フラップ片２４と幅広差込みフラップ片３４との間の折り曲げ線２１ｆに設けられたフラップ差込用切込み３１ｄに差し込んで係止する。これらによって、第１底面内側フラップ片２５と第２底面内側フラップ片２８と底面外側フラップ片２４とが重ね合わされた箱本体１１の底部１１ｃが形成される。
【００３０】
箱本体１１の底部１１ｃを形成したら、例えば箱本体１１の内部に商品を収容した後に、第１天面内側フラップ片２６と第２天面内側フラップ片２７と天面外側フラップ片２３とタブ形成用フラップ片１６とを折り曲げて、天部１１ｂを形成する。すなわち、第１天面内側フラップ片２６と第２天面内側フラップ片２７とを折り曲げ線２１ｄを介して天部１１ｂに沿うように折り曲げると共に、上述のように、タブ形成用フラップ片１６を、Ｔ字断面形状を備える形状としてから折り曲げ線２１ｂを介して折り曲げて、正面側ベース部１９ａと背面側ベース部１９ｂとを箱本体１１の天部１１ｂに沿って配置する（図４参照）。しかる後に、上述のように、天面外側フラップ片２３を折り曲げ線２１ｂを介して折り曲げて、箱本体１１の天部１１ｂに沿って配置すると共に、一対の差込みフラップ片３２を、背面板２２ｃの上辺部に形成したフラップ差込用切込み３１ａ，３１ｂに各々差し込んで係止すことによって、識別表示用タブ１２が垂直又は略垂直に立設する天部１１ｂが形成されることになる（図４参照）。
【００３１】
さらに、形成された天部１１ｂの中央部分に開口する、第２天面内側フラップ片２７の内側フック差込接合穴３９と合致して設けられた天面外側フラップ片２３の外側フック差込接合穴３８に、フック部材４２の差込基端部４２ａを差し込んで係止することにより、吊下げ用のフック１３と識別表示用タブ１２とが同一又は略同一の直線上に配置されて天部１１ｂから立設する、本実施形態の吊下げ陳列箱１０が形成されることになる。
【００３２】
なお、内側フック差込接合穴３９に外側フック差込接合穴３８を合致させてフック部材４２の差込基端部４２ａを差し込んで係止することで、天部１１ｂを強固に形成することが可能になる。これによって、識別表示用タブ１２をさらに安定した状態で垂直に立設させることが可能になると共に、天部を種々の多角形状等の形状で形成することが可能になって、様々な形状の箱本体を設計し易くなる。例えば、上述のように正面板２２ａ及び背面板２２ｃの中央部分を縦方向に縦断する折れ癖線３６を設けなくても、略菱形の天部１１ｂの形状を容易に保持することが可能になる。
【００３３】
そして、上述の構成を備える本実施形態の吊下げ陳列箱１０によれば、箱本体１１の天部１１ｂに設けられる識別表示用タブ１２を安定した状態で立設させて、識別表示用タブ１２による識別機能を容易に保持することが可能になる。すなわち、本実施形態によれば、識別表示用タブ１２は、箱本体１１を構成するブランク１５に設けたタブ形成用フラップ片１６を折り曲げることで、正面側立設部１８ａ及び背面側立設部１８ｂの裏面同士を対向させて重ね合わせた状態で形成されるようになっており、且つ背面側立設部１８ｂの基端部に折れ曲って連設する背面側ベース部１９ｂを、天部１１ｂの構成片である天面外側フラップ片２３の押付け片２０によって上方から押さ付けた状態で立設しているので、正面側立設部１８ａと背面側立設部１８ｂとによる２重構造によって、強固に立設することが可能になると共に、押付け片２０による背面側ベース部１９ｂへの押さえ付け作用によって、さらに安定した立設状態を保持することが可能になる。
【００３４】
また、本実施形態によれば、タブ形成用フラップ片１６は、正面板２２ａの上辺と正面側立設部１８ａとの間に正面側ベース部１９ａが介在していることで、正面側立設部１８ａ及び背面側立設部１８ｂによる識別表示用タブ１２は、正面板２２ａの上辺や背面板２２ｃの上辺と離間してこれらの中間部分において立設しているので、周囲のものと接触し難く、また周囲のものに押されて傾倒し難くなっていると共に、傾倒した場合でも、天部１１ｂから下方には折り曲げられることがないので、その識別機能を容易に保持することが可能になる。
【００３５】
さらに、本実施形態によれば、識別表示用タブ１２は、正面側立設部１８ａ及び背面側立設部１８ｂの裏面同士を対向させて重ね合わせた状態で形成されるので、識別表示用タブ１２の表裏の何れの面にも、色彩や仕上げが施されていないブランク１５の裏面が表出しないことになるので、識別表示用タブ１２によって吊下げ陳列箱１０の美観が損われるのを効果的に回避することが可能になる。
【００３６】
なお、本発明は上記実施形態に限定されることなく種々の変更が可能である。例えば、識別表示用タブは、重ね合わされる正面側立設部及び背面側立設部の両側に正面側ベース部と背面側ベース部とを設けて、正面板の上辺と背面板の上辺との中間部分に識別表示用タブを立設させる必要は必ずしもない。例えば、図８に示すように、正面板２２ａ或いは背面板２２ｃに沿って、正面側立設部１８ａ及び背面側立設部１８ａからなる識別表示用タブ１２を天部１１ｂから立設させるようにしても良い。また、重ね合わせた正面側立設部及び背面側立設部の両側に正面側ベース部と背面側ベース部とを設けた場合に、正面側ベース部と背面側ベース部の双方を、共に天部の構成片による押付け片によって外側から押え付けるようにしても良い。
【００３７】
さらに、識別表示用タブが設けられる天部は平坦な面となっている必要は必ずしもなく、上方に凸となった山形状の天部等であっても良い。例えば、図９に示すような形態を有する天部に、フックと共に正面側立設部と背面側立設部とからなる識別表示用タブを、ベース部を天部の構成片による押付け片で押え付けた状態で立設させることもできる。
【００３８】
さらにまた、箱本体は、扁平な略菱形の横断面形状を有している必要は必ずしもなく、横長の矩形形状、楕円形状、長円形状等の、その他の種々の扁平な断面形状を備えるものであっても良い。
【符号の説明】
【００３９】
１０  吊下げ陳列箱
１１  箱本体
１１ａ  正面部
１１ｂ  天部
１２  識別表示用タブ
１３  吊下用のフック
１４  陳列棒
１５  ブランク
１６  タブ形成用フラップ片
１７ａ，１７ｂ，１７ｃ  折り曲げ線
１８ａ  正面側立設部
１８ｂ  背面側立設部
１９ａ  正面側ベース部
１９ｂ  背面側ベース部
２０  押付け片
２３  天面外側フラップ片
２６  第１天面内側フラップ片
２７  第２天面内側フラップ片
３７  破断線
３８  外側フック差込接合穴
３９  内側フック差込接合穴
４２  フック部材
【図１】
0005608442.tif 000002
【図２】
0005608442.tif 000003
【図３】
0005608442.tif 000004
【図４】
0005608442.tif 000005
【図５】
0005608442.tif 000006
【図６】
0005608442.tif 000007
【図７】
0005608442.tif 000008
【図８】
0005608442.tif 000009
【図９】
0005608442.tif 000010